(57)【要約】【課題】デジタルコンパクトディスク型の品質をもつ立体音響信号放送の可能なスピーカ用のデジタル無線伝送システムを提供する。【解決手段】「コンパクトディスク」型の音響デジタル信号を表すファイルの圧縮手段（１０４）と、圧縮信号を直角位相変調回路（１０１）に複数パケットずつ伝送されるシリアル信号に変換する手段と、直角位相変調回路からの信号を屋内給電ネットワークに送出する手段とを含む送信装置（１０）と、屋内給電ネットワークに接続されており、直角位相復調器（１１１）から送られる信号から音響デジタル信号を伝送する情報パケットを抽出し、並列デジタル信号にこれを変換して圧縮解除回路（１１５）に送るための手段を含む受信装置（１１）と、  圧縮解除されたデジタル信号を、適切な増幅後にスピーカに供給するためのアナログ信号に変換する手段とを含む。【選択図】図１
2011109718.tif 000002
【特許請求の範囲】
【請求項１】
「コンパクトディスク」型の音響デジタル信号を表すファイルの圧縮手段と、圧縮信号を、直角位相変調回路に複数パケットずつ伝送されるシリアル信号に変換する手段と、直角位相変調回路からの信号を屋内給電ネットワークに送出する手段とを含む送信装置と、
前記屋内給電ネットワークに接続されており、直角位相復調器から送られる給電信号から音響デジタル信号を搬送する情報パケットを抽出し、これをパラレルビットのデジタル信号に変換して圧縮解除回路に向けて送るための手段を含む受信装置と、
圧縮解除されたデジタル信号を、適切な増幅後にスピーカに供給するためのアナログ信号に変換する手段とを含む、スピーカ用のデジタル無線伝送システム。
【請求項２】
パラレル・シリアル変換手段が、シリアルビットに変換された信号パケット内に宛先アドレスを挿入する手段を含み、
受信手段が、スピーカが接続されている受信装置に固有のアドレスと受信パケット内に記載されているアドレスとを比較する手段を含むこと、
を特徴とする請求項１に記載のスピーカ用のデジタル無線伝送システム。
【請求項３】
シリアル・パラレル変換装置が、異なるアドレス宛の異なる一個の音響信号を表す複数のデジタルファイルフレームを多重化する手段を含むことを特徴とする、請求項１または２に記載のスピーカ用のデジタル無線伝送システム。
【請求項４】
送信回路が、暗号化回路を含み、接続された受信装置が、パラレル・シリアル変換解除回路のメモリに記憶された秘密キーを用いる暗号解読回路を含むことを特徴とする請求項１に記載のスピーカ用のデジタル無線伝送システム。
【請求項５】
デジタル信号の情報が、プロトコル情報を構成する第一の部分（ＩＰ）と、受信者のアドレスを構成する第二の部分（ＡＤ）と、一個のデジタル信号または多重化された複数のデジタル信号を構成する第三の部分（ＳＮＡ）と、プロトコル終了情報を構成する第四の部分（ＩＦＰ）とを含む一つのプロトコルに従ってパラレル・シリアル変換されることを特徴とする請求項１から４のいずれか一項に記載のスピーカ用のデジタル伝送システム。
【請求項６】
プロトコルが、スピーカの制御情報を構成する第五の部分（ＩＣ）を含むことを特徴とする請求項５に記載のスピーカ用のデジタル伝送システム。
【請求項７】
プロトコルが、少なくとも一つの暗号キーを構成する第六の部分（ＣＥ）を含むことを特徴とする請求項５に記載のデジタル伝送システム。
【請求項８】
パケット毎に伝送されるシリアル信号に、各スピーカの個々の調整を可能にする制御コマンドを入れるための手段を含むことを特徴とする請求項１から７のいずれか一項に記載のスピーカ用のデジタル伝送システム。
【請求項９】
伝送される音響信号がアナログタイプである場合、音響信号を表すファイルの圧縮手段の前段に配置された、アナログ信号をデジタル信号に変換する手段を含むことを特徴とする請求項１から７のいずれか一項に記載のスピーカ用のデジタル伝送システム。
【発明の詳細な説明】
【技術分野】
【０００１】
本発明は、スピーカ用のデジタル無線伝送システムに関する。
【背景技術】
【０００２】
アナログ音響信号を周波数変調信号に変換し、この周波数変調信号を屋内ネットワークの交流電流供給線で伝送する無線スピーカシステムが知られている。屋内ネットワークが受信した信号から、周波数変調信号が抽出され、音響信号に再変換される。
【０００３】
このような技術は特に、米国特許第４８２９５７０号に開示されている。この特許はさらに、コンパクトディスク読み取り装置から送られるアナログ信号を圧縮可能にするための圧縮装置の利用を検討しているが、そのダイナミック・レンジは広いので、周波数変調伝送を可能にするには非常に幅広い通過周波数帯域を必要とする。このように通過周波数帯域が広く、変移が大きいことは、多くの問題を引き起こすが、この特許では、音響信号のダイナミックレンジ全体を低減する圧縮回路を使用することで、これらの問題を解決している。この文献で既に認識される第一の問題は、特に周波数変調を用いて可変周波数発振器などのアナログシステムで動作する立体音響システムが制約を受けることである。
【０００４】
単純な立体音響の品質から、「デジタルＣＤ」型の立体音響の品質に移行する場合、伝送される情報の品質は、通過周波数帯による周波数変調により、制限されてしまう。
【０００５】
さらに、米国特許第４８２９５７０号が開示するこの種のシステムは、個人住宅の屋内ネットワークにおける個人的な目的の利用には受け入れられるが、ビルに設置するには難しく、ましてや商業団地や商業センターでは、なおさら困難である。実際、供給ネットワークで流される音楽は、このネットワークに据え付けられて接続された全てのスピーカによって同一の瞬間にピックアップされる。これは、著作権使用料の支払い問題を提起するので、一般の放送を避けることの可能な装置を備えることが望ましい。
【０００６】
しかも、こうした装置は、立体音響チャンネルを二つ有するために、第一のチャンネル用の第一の搬送周波数と、第二のチャンネル用の第二の搬送周波数とを備えなければならない。これらの搬送周波数は、非常に明確な諸条件に従って選択しなければならないので、同様に通過周波数帯域の様々な可能性を制限することになる。
【先行技術文献】
【特許文献】
【０００７】
【特許文献１】米国特許第４８２９５７０号
【発明の概要】
【発明が解決しようとする課題】
【０００８】
本発明の第一の目的は、デジタルコンパクトディスク型の品質をもつ立体音響信号放送及び／又は遠隔制御が可能なスピーカ用のデジタル無線伝送を提案することにある。
【課題を解決するための手段】
【０００９】
この第一の目的は、「コンパクトディスク」型の音響デジタル信号を表すファイルの圧縮手段と、圧縮信号を直角位相変調回路に複数パケットずつ伝送されるシリアル信号に変換する手段と、直角位相変調回路からの信号を屋内給電ネットワークに送出する手段とを含む送信装置と、
前記屋内給電ネットワークに接続されており、直角位相復調器から送られる給電信号から音響デジタル信号を搬送する情報パケットを抽出し、パラレルビットのデジタル信号にこれを変換して圧縮解除回路に向けて送るための手段を含む受信装置と、
圧縮解除されたデジタル信号を、適切な増幅後にスピーカに供給するためのアナログ信号に変換する手段とを含む、スピーカ用のデジタル無線伝送システムによって達せられる。
【００１０】
第二の目的は、各種のスピーカに、複数の音楽信号を送信可能にすることにある。
【００１１】
この目的は、パラレル・シリアル変換手段が、シリアルビットに変換された信号パケット内に宛先アドレスを挿入する手段を含み、
受信手段が、スピーカが接続されている受信装置に固有のアドレスと受信パケット内に記載されているアドレスとを比較する手段を含むこと、
によって達せられる。
【００１２】
別の特徴によれば、シリアル・パラレル変換装置は、異なるアドレス宛の異なる一個の音響信号を示す複数のデジタルファイルフレームを多重化する手段を含む。
【００１３】
本発明の他の目的は、著作権使用料の詐欺行為を不可能にするシステムを提案することにある。
【００１４】
この第三の目的は、送信回路が、暗号化回路を含み、接続された受信装置が、パラレル・シリアル変換解除回路のメモリに記憶された秘密キーを用いる暗号解読回路を含むことによって達成される。
【００１５】
もう一つの特徴によれば、デジタル信号の情報は、プロトコル情報を構成する第一の部分と、受信者のアドレスを構成する第二の部分と、一個のデジタル信号または多重化された複数のデジタル信号を構成する第三の部分と、プロトコル終了情報を構成する第四の部分とを含む一個のプロトコルに従ってパラレル・シリアル変換される。
【００１６】
さらに他の特徴によれば、プロトコルは、スピーカの制御情報を構成する第五の部分を含む。
【００１７】
別の特徴によれば、プロトコルは、少なくとも一つの暗号キーを構成する第六の部分を含む。
【００１８】
また他の特徴によれば、システムは、パケット毎に伝送されるシリアル信号内に、各スピーカの個々の調整を可能にする制御コマンドを入れるための手段を含む。
【００１９】
また別の特徴によれば、システムは、
伝送される音響信号がアナログタイプである場合、音響信号を表すファイルの圧縮手段の前段に配置された、アナログ信号をデジタル信号に変換する手段を含む。
【００２０】
本発明の他の特徴ならびに利点は、添付図に関して後述する説明を読めば、一層明らかになろう。
【図面の簡単な説明】
【００２１】
【図１】本発明を実施する電子回路の概略図である。
【図２】本発明のシステムを用いる「ジュークボックス」型のオーディオビジュアル装置の概略図である。
【発明を実施するための形態】
【００２２】
次に、公衆または団体を受け入れるための建物または場所、たとえばバー、デパート、競技場などの、屋内電気エネルギー供給ネットワークの２本の導線（１３）が示された図１に関して本発明を説明する。この給電ネットワークには、第一の変圧器（１０８）の一次コイルを含む送信装置（１０）が接続される。第一の変圧器（１０８）は、ダイオード整流回路を介して第二のコイルにより、電源回路（１００）に電源信号を送り、電源回路（１００）は、交流信号の整流されたセクタから、送信装置の各種回路の給電に必要な電圧信号を抽出する。それと平行して、この第一の変圧器（１０８）の一次コイルには第二の変圧器（１０９）が接続される。第二の変圧器（１０９）の二次コイルには、トランジスタを介して直角位相変調回路（１０１）から信号が供給される。直角位相変調回路（１０１）は、電源回路（１００）により電圧が供給され、マイクロコントローラ（１０２）から、後述するプロトコル（Ｐ）に従ってパラレル・シリアル変換されたデジタル情報を表すデータパケット（Ｐ１，Ｐ２）の流れを受信する。このプロトコル（Ｐ）は、プロトコル情報を構成する第一の部分（ＩＰ）と、一人の受信者のアドレスまたは複数の受信者各々のアドレスを構成する第二の部分（ＡＤ）と、スピーカの制御情報を構成する第三の部分（ＩＣ）と、それぞれが一つのアドレスに対する一つまたは複数の暗号キーを構成する第四の部分（ＣＥ）と、各信号が受信者のアドレスの一つに関連する、音響デジタル信号または多重化音響信号を構成する第五の部分（ＳＮＡ）と、プロトコル終了情報を構成する第六の部分（ＩＦＰ）とを含む。
【００２３】
信号は、２００〜３００ｋＨｚの間にある搬送波により直角位相変調回路（１０１）によって直角位相変調され、変圧器（１０９）を介して交流信号のセクタに重ねられる。音響源から送られる音響デジタル信号は、圧縮後、毎秒１２８キロビットのデジタル伝送量を占め、マイクロコントローラ（１０２）によって処理されて、上述のプロトコル（ＥＰ）に従って連続パケットとして送られる。
【００２４】
マイクロコントローラ（１０２）のプログラムは、複数の音響源の多重化を行うように構成することができる。各プログラムは固有のアドレスと固有の暗号解読キーを有するので、たとえば第一のスピーカにクラシック音楽の曲を送る間、同じ瞬間に第二のスピーカにジャズ音楽の曲を送ることができる。
【００２５】
この場合、送信装置（１０）は、スピーカに接続されるカードまたはケース（１１）によって識別されるユーザに一つまたは複数のフレームを送る。送信装置（１０）及び一つまたは複数の受信装置（１１）は、導電線または屋内給電ネットワークを介してのみ互いに接続される。
【００２６】
さらに、マイクロコントローラ（１０２）の動作プログラムは、たとえば電波信号を送信する遠隔制御ケース（１２）が送信したコマンドをピックアップ（１０２０）に受信すると、ケース（１２）が発生したコマンドをパケットの中に入れて、スピーカの制御情報を構成するようにすることができる。これらの制御情報は、右側チャンネル、左側チャンネル、低音部、高音部、音量などを調整することにより、各スピーカの個々の調整を可能にする。
【００２７】
著作権使用料の回収を可能にするとともに著作権料を支払わない人間が同じ曲を聴くことができないように、屋内ネットワークで伝送される音響情報を保護する場合、この装置に暗号化回路（１０３）を付加し、これを圧縮回路（１０４）とマイクロコントローラ（１０２）との間に置く。音楽信号源が「デジタル」タイプではない場合、アナログ増幅器（１０７）の出力信号を入力に受信するＡＤ変換器（１０６）を装置に付加する。アナログ増幅器（１０７）は、アナログ音響信号を受信する。
【００２８】
受信装置（１１）は、上述のように第一の変圧器（１１８）を含む。第一の変圧器（１１８）は、受信装置（１１）の各種の回路の動作に必要な電源信号を発生するための電源回路（１１０）に、整流回路を用いて給電する。第一の変圧器の一次コイルに接続された第二の変圧器（１１９）は、デカップリング容量を用いて、直角位相復調器（１１１）に信号を供給し、直角位相復調器は、プロトコル信号及びプロトコルパケットをマイクロコントローラ（１１２）にシリアル出力で供給し、マイクロコントローラ（１１２）は、これらのシリアル信号を暗号解読回路（１１３）宛のパラレル信号に変換する、暗号解読回路（１１３）の出力は圧縮解除回路（１１４）に接続される。圧縮解除回路（１１４）の出力は、ＤＡ変換回路（１１５）に接続され、ＤＡ変換回路の出力はスピーカ（ＨＰ）に接続される。圧縮解除回路（１１４）は、「ＭＰＥＧ」３型のアルゴリズムを用い、暗号化回路（１０３）及び暗号解読回路（１１３）は、「ＭＭＰＰ」（ＭｕｌｔｉＭｅｄｉａ  Ｐｒｏｔｅｃｔｉｏｎ  Ｐｒｏｔｏｃｏｌｅ）型のアルゴリズムを用いる。
【００２９】
ケース（１１）のマイクロコントローラ（１１２）のメモリは識別アドレスを格納しており、これによってパケットで受信したアドレスと識別アドレスとを比較し、音響デジタル情報がそのスピーカ宛なのか、それとも他のスピーカ宛なのか識別することができる。同様に、マイクロコントローラのメモリは、初期化または製造時に暗号解読キーを格納している。初期化の際の暗号解読キーの格納は、プロトコルの第四ゾーンによって実施可能である。
【００３０】
送信装置（１０）のＡＤ変換回路（ＣＡＮ／またはＣＮＡ）、圧縮回路、暗号化回路、増幅回路は、たとえばモトローラ社が製品番号５６３ＸＸで商品化したデジタル信号プロセッサ、通称「Ｄ．Ｓ．Ｐ．」（Ｄｉｇｉｔａｌ  Ｓｉｇｎａｌ  Ｐｒｏｃｅｓｓｏｒ）によって構成することができる。
【００３１】
同様に、受信装置（１１）の暗号解読回路、圧縮解除回路、ＤＡ変換回路は、モトローラ社が製品番号５６３ＸＸで商品化したデジタル信号プロセッサ、通称「Ｄ．Ｓ．Ｐ．」（Ｄｉｇｉｔａｌ  Ｓｉｇｎａｌ  Ｐｒｏｃｅｓｓｏｒ）で構成することができる。
【００３２】
このような装置を用いることにより、伝送装置（１０）が接続されるネットワークの同一位相の信号をスピーカに供給しながら、様々な場所に多様なスピーカを設置することが可能になる。この伝送装置（１０）は、一方では音響信号源に接続される。この音響信号源は、たとえばコンパクトディスク読み取り装置のデジタル出力であり、あるいはＰＣＴ出願されたフランス特許出願第９５０１３３３号（公開番号ＷＯ９６／１２５９６）に対応する、図２に記載したようなジュークボックスのハードディスクのデジタル出力である。また伝送装置（１０）は、他方では、建物またはサイトの給電ネットワークの導線に接続される。図２のジュークボックスは、高性能ＰＣとの互換性システムであるマイクロプロセッサ、ＣＰＵ（１）から構成される。本実施形態では、「インテル８０４８６ＤＸ／２」型のシステムについて行った。このシステムは、以下のメモリ手段及び特徴を有する。
ＶＥＳＡローカルバスとの互換性
プロセッサのキャッシュメモリ：２４５ｋバイト
高性能シリアルポート及びパラレルポート
ＳＶＧＡ型グラフィカルアダプタマイクロプロセッサ
ＳＣＳＩ／２型のバスコントローラ
自己リフレッシュスタティックＲＡＭ
【００３３】
本発明では、同等またはそれ以上の性能を有する他の全てのＣＰＵを用いることができる。
【００３４】
このＣＰＵは、音響制御回路（５）、遠隔通信制御回路（４）、入力制御回路（３）、大容量記憶制御回路（２）、及び表示手段の制御回路（６）を制御及び管理する。表示手段を主に構成するビデオモニタ（６２）は、高解像度かつ低放射性で、ＳＶＧＡ規格のノンインターレース方式１４プース（３５×５６ｃｍ）平面スクリーンを持つ。グラフィックスまたはビデオクリップの画像再生に用いられるのは、このモニタである（たとえば選曲アルバムのカバー）。
【００３５】
高速かつ高容量の「ＳＣＳＩ」型ハードディスクを用いる大容量記憶手段（２１）は、マイクロプロセッサ装置内に既に存在する記憶手段に接続される。この記憶手段は、デジタル化され圧縮されたオーディオーディオビジュアル情報の保存を行う。
【００３６】
データ転送速度が２８，８ｋｂｐｓという高速の通信モデムアダプタ（４１）は、中央サーバにより制御されるオーディオビジュアル情報供給ネットワークとの接続を許可するために組み込まれている。
【００３７】
選曲された音響情報を再生するためには、システムは、「音楽シンセサイザー」型の電子回路（５）に接続されたアンプ−チューナ信号（５３）を受信するスピーカ（５４）を含む。この電子回路（５）は、非常に多数の入力源をサポートするように構成され、たとえば、後述する目的で２個のメモリバッファ（５６，５７）を追加したクリエイティブ・ラボ・Ｉｎｃ社の「「サウンド・ブラスター・カード」ＳＢＰ３２ＡＷＥ型の、マルチメディア音響アダプタマイクロプロセッサのような、「ＣＤ（コンパクトディスク）」型の品質を有する出力を供給する。
【００３８】
同様に、ディスプレイ手段の制御回路は、後述する目的で２個のバッファメモリ（６６，６７）を含む。
【００３９】
システムへの電源供給は、クーリングにより２４０ワットに調整する。このような供給は、過電流及び過振幅から保護される。
【００４０】
オーディオビジュアル再生システムは、入力監視回路（３）を介して、Ｅｌｏ・タッチ・システムズＩｎｃ社の１４プース（３５×５６ｃｍ）タッチスクリーン「インテリ・タッチ」（３３）を管理する。このタッチスクリーンは、「先進表面波技術」を駆使したガラスで被覆されたパネルと、「ＡＴ」型のバスコントローラとを含む。このタッチスクリーンは、ビデオモニタ（６２）またはテレビ（６１）のスクリーンに、ユーザが利用する各種の選択情報ならびにシステムの管理者または所有者が利用する制御情報や管理監視情報を表示することができる。スクリーンはまた、システムに接続可能な外部キーボード（３４）との接続維持のためにも用いられ、そのために、インターフェース回路（３）を介してキーロック（３２）により管理されるキーボードコネクタを有する。
【００４１】
入力インターフェース回路（３）は、たとえば
マイクロプロセッサシステムに対しては１５個の制御キー、投影装置に対しては８個のキーを有する送信器である、マインド・パス・テクノロジーＩｎｃ社の赤外線遠隔操作装置と、
マインド・パス・テクノロジーＩｎｃ社のシリアルアダプタ付き赤外線受信器
とから構成される遠隔制御システム（３１）とも接続する。
【００４２】
また、ナショナル・リジェクタＩｎｃ社の使用料支払い装置（３５）も、入力インターフェース回路（３）に接続される。さらに、硬貨、紙幣、コイン、磁気カード、ＩＣカード、あるいは各種の支払い手段の組み合わせによるあらゆる支払い方式の受領を可能にする他のあらゆる装置が使用可能である。
【００４３】
システムを収容するためには、外部の装置をパーソナル化することを可能にする鋼板フレーム又はシャーシを備える。
【００４４】
これらの要素に加えて、無線マイクロホン（５５）が音響制御回路（５）に接続され、この回路を、高出力の公衆向け情報案内システムや、あるいは場合によってはカラオケ装置に変換することができる。このシステムは、同じく無線スピーカシステムも利用可能である。
【００４５】
遠隔制御装置（３１）は、たとえばカウンターの後にいる管理者に対して、次のような各種のコマンドのアクセス及び監視を可能にする。
マイクロホンの作動−停止コマンド
スピーカの音を小さくするコマンド
音量制御コマンド
聞いている最中の選曲の取り消しコマンド。
【００４６】
二個のバッファ（５６，５７）は、音響制御回路（５）に接続され、４分の１秒の音に対応する情報をそれぞれが交互に記憶することができる。同様に二個のバッファ（６６，６７）は、ビデオ制御回路（６）に接続され、１０分の１秒の画像をそれぞれが交互に記憶することができる。さらに各バッファ（４６，３６，２６）は、通信制御回路、入力インターフェース回路（３）、記憶回路（２）の各々に接続される。
【００４７】
デジタル化され、圧縮されたオーディオビジュアルデータは、記憶手段（２１）に保存される。
【００４８】
これらの情報は、ＣＰＵ（１）を介して、送信装置（１０）に対応する要素を付加したカード（１０５）に伝送される。暗号化回路（１０３）は、情報が既に圧縮されている場合、情報が既に暗号化されているか、あるいは暗号化する必要がないときには、暗号化回路（１０３）を避けて第一のコネクタ（１０２１）によって、また、情報を暗号化する必要があるときは暗号化回路（１０３）を用いる第二のコネクタ（１０３１）によって、バッファ回路（５６，５７）に直接接続される。情報が圧縮されていない場合には、バッファ（５６，５７）を第三のコネクタ（１０４１）に接続して、圧縮回路を使用するようにする。
【００４９】
このようにして、変圧器（１０８）の出力をセクタに接続すれば、様々な場所における受信回路（１１）をセクタに接続することにより、ジュークボックスシステム（５４）に通常備えられているスピーカに加えて、色々な遠距離のスピーカに信号を供給できる。これによって、管理者が、設置場所あるいはスピーカの構成によって音量を調整できると同時に、種々の場所で適切な品質の音響放送が可能になる。
【００５０】
本発明が、コンパクトディスク読み取り装置、特別なチャンネルを受信するためのラジオなどの他の装置に用いる場合、上記のジュークボックス用の支払い手段のいずれかを用いた支払い装置を装備することができる。こうした支払い装置は、ジュークボックス用のものと同様に、使用料が支払われた場合だけ、使用料に対して規定された持続時間のあいだ、装置を動作可能にする。この持続時間は、受信装置に接続されたクロックにより決定される。
【００５１】
当業者に自明の他の変更も同様に本発明の一部をなすものである。
【符号の説明】
【００５２】
１  ＣＰＵ
２  大容量記憶制御回路
３  入力制御回路
４  遠隔通信制御回路
５  音響制御回路
６  表示手段の制御回路
１０  送信装置
１１  受信装置
１２  遠隔制御ケース
２１  記憶手段
２６，３６，４６，５６，５７，６６，６７  バッファ
３３  タッチスクリーン
３４  外部キーボード
３５  使用料支払い装置
４１  通信モデムアダプタ
５４  スピーカまたはジュークボックス
５５  マイクロホン
６２  ビデオモニタ
１００  電源回路
１０１  直角位相変調回路
１０２，１１２  マイクロコントローラ
１０３  暗号化回路
１０４  圧縮回路
１０７  アナログ増幅器
１０８、１１８  第一の変圧器
１０９、１１９  第二の変圧器
１１１  復調回路
１１３  暗号解読回路
１１４  圧縮解除回路
１１５  ＤＡ変換回路
１１６  増幅器
１１９  直角位相復調回路
１０２０  ピックアップ
【図１】
2011109718.tif 000003
【図２】
2011109718.tif 000004
【手続補正書】
【提出日】平成23年2月25日(2011.2.25)
【手続補正２】
【補正対象書類名】特許請求の範囲
【補正対象項目名】全文
【補正方法】変更
【補正の内容】
【特許請求の範囲】
【請求項１】
交流電源線を音響ネットワークとして使用するスピーカを通して音楽を再生するデジタル伝送システムであって、
１つまたは複数のデジタル音楽信号源からの音響デジタル信号を表すファイルを圧縮されたデジタル信号に圧縮するデジタル圧縮装置と、
圧縮されたデジタル信号をシリアルの圧縮されたデジタル信号パケットに変換するシリアル変換回路を含むデジタル送信装置と、
シリアルの圧縮されたデジタル信号パケットを１つの搬送波周波数を使用して交流電源線上へ変換する送信装置を制御するデジタル変調器と、
交流電源線を介して送信されたパケットを受信する交流電源線に接続されたデジタル受信装置とを有し、デジタル受信装置は、
１つの搬送波周波数で変調されたシリアルの圧縮されたデジタル信号パケットを復調するデジタル復調器と、
復調されたシリアルの圧縮されたデジタル信号を、復調されたパラレルの圧縮されたデジタル信号へ変換するシリアル／パラレルデジタル変換装置と、
復調されたパラレルの圧縮されたデジタル信号を、復調されたパラレルの圧縮解除されたデジタル信号へ圧縮解除するデジタル圧縮解除装置と、
復調されたパラレルの圧縮解除されたデジタル信号を、アナログ信号に変換するデジタル／アナログ変換器と、
適切な増幅後に、アナログ信号を受信しそれに対応する音楽を発生するスピーカとを含み、
シリアル変換回路が、シリアルの圧縮されたデジタル信号パケット内に宛先アドレスを挿入するように動作し、
デジタル受信装置が、その信号が受信装置にアドレス指定されているかどうかを決定するために、宛先アドレスを受信装置のアドレスと比較するように動作し、更に、前記デジタル信号が、プロトコル情報を開始する部分と、意図された受信者のアドレスの部分と、音響デジタル信号または多重化されたデジタル信号の部分と、プロトコル情報を終了する部分とを含むプロトコルに従ってシリアル変換されること、を特徴とするスピーカを通して音楽を再生するデジタル伝送システム。
【請求項２】
シリアル変換回路が、異なる一個の音響信号と関連する異なるアドレスを有する異なる受信装置により受信される、異なる一個の音響信号を表す複数のデジタルファイルフレームを同時に多重化するように動作することを特徴とする、請求項１に記載のスピーカを通して音楽を再生するデジタル伝送システム。
【請求項３】
送信回路が、デジタル信号を暗号化する暗号化回路を含み、受信装置が、秘密キーを用いて暗号化されたデジタル信号を暗号解読する暗号解読回路を含むことを特徴とする、請求項１に記載のスピーカを通して音楽を再生するデジタル伝送システム。
【請求項４】
前記プロトコルが、スピーカの制御コマンドの部分をさらに含むことを特徴とする請求項１に記載のスピーカを通して音楽を再生するデジタル伝送システム。
【請求項５】
前記プロトコルが、暗号キーの部分をさらに含み、各キーはデジタルデータを暗号解読するのに使用するものであることを特徴とする請求項１に記載のスピーカを通して音楽を再生するデジタル伝送システム。